(57)【特許請求の範囲】
【請求項１】
復帰箱を含み、前記復帰箱の上端には目盛枠が設置され、
前記目盛枠の上端には収納箱が固定的に設置され、前記収納箱の中には収容空間が設置され、前記収容空間の中には診察装置が設置され、前記診察装置は身長と額の温度を測ることができ、前記診察装置は、前記収容空間の中にスライド可能に連結された中心対称の四つの平衡棒と、前記平衡棒の下端に固定された測量板と、前記測量板の下端の中に固定された温度センサーとを含み、前記測量板を患者の頭に当接させたあとに前記目盛枠にある目盛によって身長を測り、そして温度センサーによって体温を測り、
前記復帰箱の中には伝動空間が設置され、前記伝動空間の頂端内壁には体重を測れる体重測り装置が設置され、前記体重測り装置は、前記伝動空間の頂端内壁にスライド可能に連結された加速棒と、前記伝動空間の左端内壁に固定され、且つ前記加速棒とスライド可能に連結された速度センサーと、前記加速棒に固定され、且つ前記伝動空間の上端外側に位置する踏み板とを含み、前記踏み板の荷重する重量の変化によって前記加速棒の下降速度が異なるため、前記速度センサーは異なる信号を受けて体重を測り、
前記伝動空間の中には前記測量板のスライドを制御できるリセット装置が設置され、前記リセット装置は、前記伝動空間の右側内壁に回転可能に連結されたキー溝付きの伝動軸と、前記伝動軸に設置されたリールと、前記リールと前記測量板との間に連結された鋼索とを含み、前記リールの回転によって前記鋼索を放すまたは巻き、さらに前記測量板を駆動して移動させ、前記伝動空間の中には同時に前記鋼索の移動を制御できる二連スイッチが設置され、体重と、身長と、体温とを同時に測ることができることを特徴とする外来診察用の体質データの診察設備。
【請求項２】
前記伝動空間の左側端面の中には表示画面が嵌め込まれ、前記表示画面はそれぞれ前記温度センサーと前記速度センサーとの間に信号を伝達できることを特徴とする請求項１に記載の外来診察用の体質データの診察設備。
【請求項３】
前記伝動空間の頂端内壁には線出口が貫通するように設置され、前記線出口の中には矯正ローラが回転可能に設置され、前記矯正ローラは左右対称的であり、且つ前記鋼索とスライド可能に連結されていることを特徴とする請求項１に記載の外来診察用の体質データの診察設備。
【請求項４】
前記診察装置はさらに前記収容空間の中に回転可能に連結された左右対称のガイドローラを含み、前記ガイドローラと前記鋼索とはスライド可能に連結され、前記測量板の上側と前記収容空間の下側端面との間には引っ張りばねが連結されていることを特徴とする請求項１に記載の外来診察用の体質データの診察設備。
【請求項５】
前記体重測り装置は、さらに前記伝動空間の頂端内壁にスライド可能に連結され、且つ前記加速棒の右側に位置するスライドロッドを含み、前記スライドロッドと前記踏み板とは固定的に連結され、前記踏み板と前記伝動空間の上側端面との間には復帰ばねが連結され、前記スライドロッドの下端には結び枠が固定的に設置され、前記結び枠の中には前後に貫通した貫通溝が形成され、前記復帰ばねの弾力と前記踏み板の受けた重力とは等しいことを特徴とする請求項１に記載の外来診察用の体質データの診察設備。
【請求項６】
前記二連スイッチは、前記伝動空間の右側内壁に固定され、且つ前記鋼索と当接できる鎖ブロックを含み、前記伝動空間の中には固定軸が回転可能に連結され、前記固定軸の中には前記鋼索と当接できる正三角ブロックが設置され、前記正三角ブロックの上端には前記貫通溝とスライド可能に連結された固定ピンが設置されていることを特徴とする請求項５に記載の外来診察用の体質データの診察設備。
【請求項７】
前記リセット装置はさらに前記伝動空間の左側内壁に固定された支持板を含み、前記支持板には昇降棒がスライド可能に連結され、前記昇降棒の上端には前記正三角ブロックとスライド可能に連結された弧状面ブロックが設置され、前記弧状面ブロックの下側と前記支持板の上側との間には圧縮ばねが連結され、前記昇降棒の下端には磁力ブロックが固定的に設置され、前記磁力ブロックには前後対称の凹溝が形成され、前記凹溝の中には円弧アームが回転可能に連結され、前記円弧アームと前記凹溝との間にはトルクばねが連結され、前記円弧アームの内輪壁面には軌道溝が形成され、前記磁力ブロックの下端内壁には前記軌道溝と連通する弧状溝が形成され、前記弧状溝の中には延伸棒がスライド可能に連結され、前記延伸棒の下端には連結カバーが固定的に設置され、前記連結カバーには左右対称の引っ掛かりキーが設置され、右側にある前記引っ掛かりキーは前記伝動軸にあるキー溝と当接でき、前記伝動空間の左側端面には電動機が固定的に設置され、前記電動機の右端にはキー溝付きの駆動軸が伝動できるように連結され、前記駆動軸にあるキー溝は左側の前記引っ掛かりキーと当接でき、前記引っ掛かりキーが同時に前記伝動軸と前記駆動軸とにあるキー溝と当接することで、前記駆動軸の動力は順次に前記引っ掛かりキーと、前記連結カバーと、前記伝動軸とを通し、前記伝動軸は前記リールを駆動して回転させ、そして前記鋼索を巻き、前記測量板のスライドを制御し、前記伝動空間の底端内壁には前記円弧アームとスライド可能に連結できるリミット凹ブロックが固定的に設置され、前記リミット凹ブロックは前記円弧アームより半径が長いことを特徴とする請求項６に記載の外来診察用の体質データの診察設備。
【発明の詳細な説明】
【技術分野】
【０００１】
本願発明は医療診断技術分野を取り上げて、具体的には外来診察用の体質データの診察設備である。
【背景技術】
【０００２】
薬品の開発技術の発展につれ、さまざまな体質を持つ患者に対して薬品の投与量がますます精確になっていき、しかし、患者のほとんどは治療中で自身の身長や体重などのデータについて不明であるため、医者が正確な判断を下すことができず、患者の回復速度に影響を与え、さらに、病院では、診察のために発熱患者と一般患者とを区別してから診察を行い、したがって、市場において、患者の身長や体重、体温などを測定と診断できる一体化した設備が必要であり、医者が処方箋を出す時に薬量の判断を補助でき、本願発明は上記の問題を解決できる装置である。
【先行技術文献】
【特許文献】
【０００３】
【特許文献１】中国特許出願公開第１０８９３７８９２号明細書
【発明の概要】
【発明が解決しようとする課題】
【０００４】
病院の外来診察に患者の身長や体重、体温などを測定と診断できる一体化した設備が必要であり、医者が処方箋を出す時に薬量の判断を補助できる。
【課題を解決するための手段】
【０００５】
上記の問題を解決するために、本例は外来診察用の体質データの診察設備を設計し、本願発明に記載の外来診察用の体質データの診察設備は、復帰箱を含み、前記復帰箱の上端には目盛枠が設置され、前記目盛枠の上端には収納箱が固定的に設置され、前記収納箱の中には収容空間が設置され、前記収容空間の中には診察装置が設置され、前記診察装置は身長と額の温度を測ることができ、前記診察装置は、前記収容空間の中にスライド可能に連結された中心対称の四つの平衡棒と、前記平衡棒の下端に固定された測量板と、前記測量板の下端の中に固定された温度センサーとを含み、前記測量板を患者の頭に当接させたあとに前記目盛枠にある目盛によって身長を測り、そして温度センサーによって体温を測り、前記復帰箱の中には伝動空間が設置され、前記伝動空間の頂端内壁には体重を測れる体重測り装置が設置され、前記体重測り装置は、前記伝動空間の頂端内壁にスライド可能に連結された加速棒と、前記伝動空間の左端内壁に固定され、且つ前記加速棒とスライド可能に連結された速度センサーと、前記加速棒に固定され、且つ前記伝動空間の上端外側に位置する踏み板とを含み、前記踏み板の荷重する重量の変化によって前記加速棒の下降速度が異なるため、前記速度センサーは異なる信号を受けて体重を測り、前記伝動空間の中には前記測量板のスライドを制御できるリセット装置が設置され、前記リセット装置は、前記伝動空間の右側内壁に回転可能に連結されたキー溝付きの伝動軸と、前記伝動軸に設置されたリールと、前記リールと前記測量板との間に連結された鋼索とを含み、前記リールの回転によって前記鋼索を放すまたは巻き、さらに前記測量板を駆動して移動させ、前記伝動空間の中には同時に前記鋼索の移動を制御できる二連スイッチが設置され、体重と、身長と、体温とを同時に測ることができる。
【０００６】
好ましくは、前記伝動空間の左側端面の中には表示画面が嵌め込まれ、前記表示画面はそれぞれ前記温度センサーと前記速度センサーとの間に信号を伝達できる。
【０００７】
好ましくは、前記伝動空間の頂端内壁には線出口が貫通するように設置され、前記線出口の中には矯正ローラが回転可能に設置され、前記矯正ローラは左右対称的であり、且つ前記鋼索とスライド可能に連結されている。
【０００８】
前記診察装置はさらに前記収容空間の中に回転可能に連結された左右対称のガイドローラを含み、前記ガイドローラと前記鋼索とはスライド可能に連結され、前記測量板の上側と前記収容空間の下側端面との間には引っ張りばねが連結されている。
【０００９】
前記体重測り装置は、さらに前記伝動空間の頂端内壁にスライド可能に連結され、且つ前記加速棒の右側に位置するスライドロッドを含み、前記スライドロッドと前記踏み板とは固定的に連結され、前記踏み板と前記伝動空間の上側端面との間には復帰ばねが連結され、前記スライドロッドの下端には結び枠が固定的に設置され、前記結び枠の中には前後に貫通した貫通溝が形成され、前記復帰ばねの弾力と前記踏み板の受けた重力とは等しい。
【００１０】
前記二連スイッチは、前記伝動空間の右側内壁に固定され、且つ前記鋼索と当接できる鎖ブロックを含み、前記伝動空間の中には固定軸が回転可能に連結され、前記固定軸の中には前記鋼索と当接できる正三角ブロックが設置され、前記正三角ブロックの上端には前記貫通溝とスライド可能に連結された固定ピンが設置されている。
【００１１】
前記リセット装置はさらに前記伝動空間の左側内壁に固定された支持板を含み、前記支持板には昇降棒がスライド可能に連結され、前記昇降棒の上端には前記正三角ブロックとスライド可能に連結された弧状面ブロックが設置され、前記弧状面ブロックの下側と前記支持板の上側との間には圧縮ばねが連結され、前記昇降棒の下端には磁力ブロックが固定的に設置され、前記磁力ブロックには前後対称の凹溝が形成され、前記凹溝の中には円弧アームが回転可能に連結され、前記円弧アームと前記凹溝との間にはトルクばねが連結され、前記円弧アームの内輪壁面には軌道溝が形成され、前記磁力ブロックの下端内壁には前記軌道溝と連通する弧状溝が形成され、前記弧状溝の中には延伸棒がスライド可能に連結され、前記延伸棒の下端には連結カバーが固定的に設置され、前記連結カバーには左右対称の引っ掛かりキーが設置され、右側にある前記引っ掛かりキーは前記伝動軸にあるキー溝と当接でき、前記伝動空間の左側端面には電動機が固定的に設置され、前記電動機の右端にはキー溝付きの駆動軸が伝動できるように連結され、前記駆動軸にあるキー溝は左側の前記引っ掛かりキーと当接でき、前記引っ掛かりキーが同時に前記伝動軸と前記駆動軸とにあるキー溝と当接することで、前記駆動軸の動力は順次に前記引っ掛かりキーと、前記連結カバーと、前記伝動軸とを通し、前記伝動軸は前記リールを駆動して回転させ、そして前記鋼索を巻き、前記測量板のスライドを制御し、前記伝動空間の底端内壁には前記円弧アームとスライド可能に連結できるリミット凹ブロックが固定的に設置され、前記リミット凹ブロックは前記円弧アームより半径が長い。
【発明の効果】
【００１２】
本願発明の有益効果は：本願発明は身長と、体重と、体温とを同時に測る構成を採用し、人が踏み板を踏む時に異なる重量によって生じた運動エネルギーも異なるため、速度差が出て、それを通じて体重の判断を行い、また、踏み板を踏むことで体重と体温との測量装置を作動させ、測量板が自動的に下降して身長を測り、額の温度を測り、効率的に発熱患者を選び出し、合理的に患者を分けられ、同時に医者に基礎の体質データを提供でき、薬量の精確使用を実現できる。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明の外来診察用の体質データの診察設備の全体構成模式図
【図２】図２は図１のＡ―Ａ方向からの構成模式図
【図３】図３は図２のＢ―Ｂ方向からの構成模式図
【図４】図４は図１のＣ―Ｃ方向からの構成模式図
【発明を実施するための形態】
【００１５】
本願発明は外来診察用の体質データの診察設備に関わり、主に外来診察時に身長や体重、体温を測ることに応用され、以下に付図を交えて本願発明について更なる説明を行う。
【００１６】
本願発明に記載の外来診察用の体質データの診察設備は、復帰箱１１を含み、前記復帰箱１１の上端には目盛枠３０が設置され、前記目盛枠３０の上端には収納箱３７が固定的に設置され、前記収納箱３７の中には収容空間３６が設置され、前記収容空間３６の中には診察装置９０１が設置され、前記診察装置９０１は身長と額の温度を測ることができ、前記診察装置９０１は、前記収容空間３６の中にスライド可能に連結された中心対称の四つの平衡棒３４と、前記平衡棒３４の下端に固定された測量板３２と、前記測量板３２の下端の中に固定された温度センサー３１とを含み、前記測量板３２を患者の頭に当接させたあとに前記目盛枠３０にある目盛によって身長を測り、そして温度センサー３１によって体温を測り、前記復帰箱１１の中には伝動空間１２が設置され、前記伝動空間１２の頂端内壁には体重を測れる体重測り装置９０２が設置され、前記体重測り装置９０２は、前記伝動空間１２の頂端内壁にスライド可能に連結された加速棒２５と、前記伝動空間１２の左端内壁に固定され、且つ前記加速棒２５とスライド可能に連結された速度センサー２２と、前記加速棒２５に固定され、且つ前記伝動空間１２の上端外側に位置する踏み板２６とを含み、前記踏み板２６の荷重する重量の変化によって前記加速棒２５の下降速度が異なるため、前記速度センサー２２は異なる信号を受けて体重を測り、前記伝動空間１２の中には前記測量板３２のスライドを制御できるリセット装置９０３が設置され、前記リセット装置９０３は、前記伝動空間１２の右側内壁に回転可能に連結されたキー溝付きの伝動軸４５と、前記伝動軸４５に設置されたリール４６と、前記リール４６と前記測量板３２との間に連結された鋼索４３とを含み、前記リール４６の回転によって前記鋼索４３を放すまたは巻き、さらに前記測量板３２を駆動して移動させ、前記伝動空間１２の中には同時に前記鋼索４３の移動を制御できる二連スイッチ９０４が設置され、体重と、身長と、体温とを同時に測ることができる。
【００１７】
有益的には、前記伝動空間１２の左側端面の中には表示画面２１が嵌め込まれ、前記表示画面２１はそれぞれ前記温度センサー３１と前記速度センサー２２との間に信号を伝達でき、体重と体温の数値を直接見えるようにする。
【００１８】
有益的には、前記伝動空間１２の頂端内壁には線出口３９が貫通するように設置され、前記線出口３９の中には矯正ローラ３８が回転可能に設置され、前記矯正ローラ３８は左右対称的であり、且つ前記鋼索４３とスライド可能に連結され、また、前記鋼索４３の方向を直す。
【００１９】
実施例によって、以下に診察装置９０１について詳しく説明し、前記診察装置９０１はさらに前記収容空間３６の中に回転可能に連結された左右対称のガイドローラ３５を含み、前記ガイドローラ３５と前記鋼索４３とはスライド可能に連結され、前記測量板３２の上側と前記収容空間３６の下側端面との間には引っ張りばね３３が連結され、前記平衡棒３４の平衡によって前記測量板３２の水平下降を保証でき、身長を測る時に数値をより精確にする。
【００２０】
実施例によって、以下に体重測り装置９０２について詳しく説明し、前記体重測り装置９０２は、さらに前記伝動空間１２の頂端内壁にスライド可能に連結され、且つ前記加速棒２５の右側に位置するスライドロッド２９を含み、前記スライドロッド２９と前記踏み板２６とは固定的に連結され、前記踏み板２６と前記伝動空間１２の上側端面との間には復帰ばね２７が連結され、前記スライドロッド２９の下端には結び枠２４が固定的に設置され、前記結び枠２４の中には前後に貫通した貫通溝２３が形成され、前記復帰ばね２７の弾力と前記踏み板２６の受けた重力とは等しいため、前記踏み板２６の受けた重力に僅かな変化を生む時に、前記復帰ばね２７と前記踏み板２６との間のバランスが破れる。
【００２１】
実施例によって、以下に二連スイッチ９０４について詳しく説明し、前記二連スイッチ９０４は、前記伝動空間１２の右側内壁に固定され、且つ前記鋼索４３と当接できる鎖ブロック４０を含み、前記伝動空間１２の中には固定軸４２が回転可能に連結され、前記固定軸４２の中には前記鋼索４３と当接できる正三角ブロック４１が設置され、前記正三角ブロック４１の上端には前記貫通溝２３とスライド可能に連結された固定ピン２８が設置され、前記固定ピン２８の前記貫通溝２３でのスライドを利用し、前記体重測り装置９０２が作動する時に前記二連スイッチ９０４を自動的に作動させ、三種の測量の同期作業を実現できる。
【００２２】
実施例によって、以下にリセット装置９０３について詳しく説明し、前記リセット装置９０３はさらに前記伝動空間１２の左側内壁に固定された支持板１７を含み、前記支持板１７には昇降棒１８がスライド可能に連結され、前記昇降棒１８の上端には前記正三角ブロック４１とスライド可能に連結された弧状面ブロック２０が設置され、前記弧状面ブロック２０の下側と前記支持板１７の上側との間には圧縮ばね１９が連結され、前記昇降棒１８の下端には磁力ブロック４９が固定的に設置され、前記磁力ブロック４９には前後対称の凹溝５４が形成され、前記凹溝５４の中には円弧アーム１３が回転可能に連結され、前記円弧アーム１３と前記凹溝５４との間にはトルクばね５３が連結され、前記円弧アーム１３の内輪壁面には軌道溝５２が形成され、前記磁力ブロック４９の下端内壁には前記軌道溝５２と連通する弧状溝５０が形成され、前記弧状溝５０の中には延伸棒５１がスライド可能に連結され、前記延伸棒５１の下端には連結カバー４７が固定的に設置され、前記連結カバー４７には左右対称の引っ掛かりキー４８が設置され、右側にある前記引っ掛かりキー４８は前記伝動軸４５にあるキー溝と当接でき、前記伝動空間１２の左側端面には電動機１６が固定的に設置され、前記電動機１６の右端にはキー溝付きの駆動軸１５が伝動できるように連結され、前記駆動軸１５にあるキー溝は左側の前記引っ掛かりキー４８と当接でき、前記引っ掛かりキー４８が同時に前記伝動軸４５と前記駆動軸１５とにあるキー溝と当接することで、前記駆動軸１５の動力は順次に前記引っ掛かりキー４８と、前記連結カバー４７と、前記伝動軸４５とを通し、前記伝動軸４５は前記リール４６を駆動して回転させ、そして前記鋼索４３を巻き、前記測量板３２のスライドを制御し、前記伝動空間１２の底端内壁には前記円弧アーム１３とスライド可能に連結できるリミット凹ブロック１４が固定的に設置され、前記リミット凹ブロック１４は前記円弧アーム１３より半径が長く、前記円弧アーム１３は前記リミット凹ブロック１４に制限されて閉鎖したリングを形成し、前記延伸棒５１の円周回転を保証できる。
【００２３】
以下に図１〜４を交えて本願発明の外来診察用の体質データの診察設備の使用手順について詳しく説明する。
【００２４】
始めに、正三角ブロック４１において固定ピン２８の右側に位置するの一端は鎖ブロック４０と当接し、鋼索４３を正三角ブロック４１において固定ピン２８の右側に位置する一端と鎖ブロック４０との間にしっかりと挟み、同時に、固定ピン２８は上側に位置し、復帰ばね２７に変形が現れていなく、正三角ブロック４１において固定ピン２８の左側に位置する一端が弧状面ブロック２０を押して下降させ、さらに圧縮ばね１９を押し、測量板３２が収容空間３６の下側端面に一番近い位置にあり、円弧アーム１３はリミット凹ブロック１４の中に位置し、且つ閉鎖したリングの形であり、引っ掛かりキー４８とキー溝とは当接し、駆動軸１５の動力は伝動軸４５に伝達されることができる。
【００２５】
患者の体質データを測る時、患者は踏み板２６を踏んで復帰ばね２７を圧迫し、さらに加速棒２５とスライドロッド２９とを押して下降させ、踏み板２６が下降する時に踏み板２６の速度変化が速度センサー２２に検知され、分析した後に体重を表示画面２１に表し、同時に、スライドロッド２９は下降して結び枠２４によって固定ピン２８を回し、正三角ブロック４１は左方へ六十度回転し、この時に正三角ブロック４１は鋼索４３との当接状態から離脱し、鋼索４３は自由にスライドできるようになり、同時に弧状面ブロック２０は圧縮ばね１９の弾性復元力によって上昇し、昇降棒１８を通じて磁力ブロック４９を駆動して上昇させ、引っ掛かりキー４８はキー溝との当接状態から離脱し、さらに円弧アーム１３はリミット凹ブロック１４から滑り出され、この時にトルクばね５３は弾性復元力によって復帰して円弧アーム１３を駆動して前後両側へ広げ、この時にリール４６は自由に回転でき、測量板３２は自体の重量で下降し、鋼索４３を通じてリール４６を引き動かして回転させ、測量板３２は下降過程において引っ張りばね３３を引っ張って患者の頭と当接させ、温度センサー３１によって額の温度を測って表示画面２１に表し、同時に人力で測量板３２の目盛枠３０と対応した数値を読み取り、患者の身長を確定する。
【００２６】
終わる時、患者は踏み板２６を離し、上記作業過程に記載したばねはすべて弾性復元力によって復帰することで設備を駆動して初期状態に戻し、電動機１６を作動させ、動力は順次に駆動軸１５と、引っ掛かりキー４８と、連結カバー４７と、伝動軸４５とを通し、伝動軸４５はリール４６を駆動して回転させ、鋼索４３を巻くことで測量板３２を引き動かし、測量板３２は上昇して復帰する。
【００２７】
本願発明の有益効果は：本願発明は身長と、体重と、体温とを同時に測る構成を採用し、人が踏み板を踏む時に異なる重量によって生じた運動エネルギーも異なるため、速度差が出て、それを通じて体重の判断を行い、また、踏み板を踏むことで体重と体温との測量装置を作動させ、測量板が自動的に下降して身長を測り、額の温度を測り、効率的に発熱患者を選び出し、合理的に患者を分けられ、同時に医者に基礎の体質データを提供でき、薬量の精確使用を実現できる。
【００２８】
以上の方式により、本分野の技術者が本発明の範囲内に作動モードにより各種な変化をすることができる。
【要約】
【課題】本願発明は外来診察用の体質データの診察設備を開示した。
【解決手段】
復帰箱を含み、前記復帰箱の上端には目盛枠が設置され、前記目盛枠の上端には収納箱が固定的に設置され、本願発明は身長と、体重と、体温とを同時に測る構成を採用し、人が踏み板を踏む時に異なる重量によって生じた運動エネルギーも異なるため、速度差が出て、それを通じて体重の判断を行い、また、踏み板を踏むことで体重と体温との測量装置を作動させ、測量板が自動的に下降して身長を測り、額の温度を測り、効率的に発熱患者を選び出し、合理的に患者を分けられ、同時に医者に基礎の体質データを提供でき、薬量の精確使用を実現できる。
【選択図】図１【図１】
0006748816.tif 000002
【図２】
0006748816.tif 000003
【図３】
0006748816.tif 000004
【図４】
0006748816.tif 000005